(57)【特許請求の範囲】
【請求項１】
送信割り付けのスケジューリングのための方法であって、
無線送受信ユニット（ＷＴＲＵ）が制御情報を送信するステップと、
非固定的許可割り付けを受信するステップであって、
前記非固定的許可割り付けは、決定された許可限界を含み、
前記決定された許可限界は、ＭＡＣ−ｅ  パケット・データ・ユニットの予め定義された数であることと
を備えたことを特徴とする方法。
【請求項２】
前記ＭＡＣ−ｅ  パケット・データ・ユニットの予め定義された数は、同一のＨＡＲＱ（Ｈｙｂｒｉｄ  Ａｕｔｏｍａｔｉｃ  Ｒｅｐｅａｔ  Ｒｅｑｕｅｓｔ：ハイブリッド自動再送要求）処理における数であることを特徴とする請求項１記載の方法。
【請求項３】
前記制御情報は、スケジューリング情報を具えたことを特徴とする請求項１記載の方法。
【請求項４】
前記ＷＴＲＵにおいてバッファーされたデータ量に関する情報を含む信号を送信するステップをさらに具えたことを特徴とする請求項１記載の方法。
【請求項５】
前記信号は、定義された電力オフセットにて送信されることを特徴とする請求項４記載の方法。
【請求項６】
拡張アクセス許可チャンネル（Ｅ−ＡＧＣＨ）を受信するステップをさらに具え、
前記Ｅ−ＡＧＣＨの１つ又は複数のビットは、ＭＡＣ−ｅ  パケット・データ・ユニットの予め定義された数を示すことを特徴とする請求項１記載の方法。
【請求項７】
拡張アクセス許可チャンネル（Ｅ−ＡＧＣＨ）を受信するステップをさらに具え、
前記Ｅ−ＡＧＣＨの１つのビットは、許可割り付けが固定的又は非固定的であることを示すことを特徴とする請求項１記載の方法。
【請求項８】
無線送受信ユニット（ＷＴＲＵ）であって、
プロセッサを具え、
該プロセッサは、  
制御情報を送信し、
非固定的許可割り付けを受信するように構成され、
前記非固定的許可割り付けは、決定された許可限界を含み、
前記決定された許可限界は、ＭＡＣ−ｅ  パケット・データ・ユニットの予め定義された数であることを特徴とする無線送受信ユニット（ＷＴＲＵ）。
【請求項９】
前記ＭＡＣ−ｅ  パケット・データ・ユニットの予め定義された数は、同一のＨＡＲＱ（Ｈｙｂｒｉｄ  Ａｕｔｏｍａｔｉｃ  Ｒｅｐｅａｔ  Ｒｅｑｕｅｓｔ：ハイブリッド自動再送要求）処理における数であることを特徴とする請求項８記載の無線送受信ユニット（ＷＴＲＵ）。
【請求項１０】
前記制御情報は、スケジューリング情報を具えたことを特徴とする請求項８記載の無線送受信ユニット（ＷＴＲＵ）。
【請求項１１】
前記プロセッサは、前記ＷＴＲＵにおいてバッファーされたデータ量に関する情報を含む信号を送信するようにさらに構成されたことを特徴とする請求項８記載の無線送受信ユニット（ＷＴＲＵ）。
【請求項１２】
前記信号は、定義された電力オフセットにて送信されることを特徴とする請求項１１記載の無線送受信ユニット（ＷＴＲＵ）。
【請求項１３】
前記プロセッサは、拡張アクセス許可チャンネル（Ｅ−ＡＧＣＨ）をさらに受信するように構成され、
前記Ｅ−ＡＧＣＨの１つ又は複数のビットは、ＭＡＣ−ｅ  パケット・データ・ユニットの予め定義された数を示すことを特徴とする請求項８記載の無線送受信ユニット（ＷＴＲＵ）。
【請求項１４】
前記プロセッサは、拡張アクセス許可チャンネル（Ｅ−ＡＧＣＨ）をさらに受信するように構成され、
前記Ｅ−ＡＧＣＨの１つのビットは、許可割り付けが固定的又は非固定的であることを示すことを特徴とする請求項８記載の無線送受信ユニット（ＷＴＲＵ）。
【発明の詳細な説明】
【技術分野】
【０００１】
本発明は、無線通信システムに関する。
【背景技術】
【０００２】
より高いスループットおよびより短い待機時間を指向するＨＳＰＡ（Ｈｉｇｈ  Ｓｐｅｅｄ  Ｐａｃｋｅｔ  Ａｃｃｅｓｓ：高速パケット・アクセス）の高度化は、構造への変更可能性と並んで物理層への改良を必要とする。提案されている１つの改良には、拡張された基地局受信機能力とともに、下り回線（６４−ＱＡＭ）および上り回線（１６−ＱＡＭ）における高次変調の使用がある。別の改良可能性は、より短いＴＴＩ（Ｔｒａｎｓｍｉｓｓｉｏｎ  Ｔｉｍｅ  Ｉｎｔｅｒｖａｌ：送信時間間隔）の使用である。これらの改良は、ゲーム動作などのバースト的トラヒックの遅延に敏感な応用を支援するために、またはＴＣＰ転送などの非実時間の応用の品質を向上させるために適しているであろう。
【０００３】
そのような高度化は、ＵＬ（ＵｐＬｉｎｋ：上り回線）上でユーザーを多重化しそしてリソースを割り付ける、最適な方法に関係がある。例えばＵＬ上での１６−ＱＡＭ変調の使用は、基地局でのチップ・レベルの信号対干渉比（Ｅｃ／Ｉｏ）が、３ＧＰＰシステムのレリース７（Ｒ７）より前の仕様による典型的動作でのような−１０ｄＢ未満ではなくむしろ、０ｄＢのかなり上であることを意味する。これは、基地局と同時に通信可能なＷＴＲＵ（Ｗｉｒｅｌｅｓｓ  Ｔｒａｎｓｍｉｔ  Ｒｅｃｅｉｖｅ  Ｕｎｉｔ：無線送受信ユニット）がより少ないことを意味する。
【０００４】
別の考慮には、所与の平均データ速度に対して、瞬間データ速度が増加することによりＷＴＲＵが自身のバッファーが空のため送信するものがない時間の割合が増加することになるということがある。したがって、高い瞬間データ速度を使用することは、ユーザー面待機時間を改善するが、それはまた、送信のバースト性の増加をも意味する。ＵＬリソースを割り付けるために現在定義されている信号方式機構は、そのようなバースト的動作に対しては最適化されていない。
【０００５】
ＵＬにおいては物理層およびＭＡＣ信号方式が、電力制御およびリソース割り付けを支援し、多くのＷＴＲＵが同時に送信しかつ比較的低いビット速度であるシナリオに対して最適化される。以下の理由から、そのような信号方式は高度化ＨＳＰＡの高データ速度能力を最大限に活用するためにはおそらく適当ではないであろう。
第１に、所与のＷＴＲＵへの電力比（または等価的にはデータ速度）割り付けは、絶対的または相対的許可（ａｂｓｏｌｕｔｅ  ｏｒ  ｒｅｌａｔｉｖｅ  ｇｒａｎｔ）を通してノードＢによって変更されない限り引き続き有効であるという意味で固定的である。そのような動作は、より高いデータ速度が導入されたときにそうなることになるように伝送のバースト性が高いシナリオにおいて非効率である。これは、効率的にリソースを利用する間に過負荷を回避するために、ノードＢは絶えずそれぞれのＷＴＲＵの割り付けを修正せねばならないであろうからである。
【０００６】
第２に、同時に送信するすべてのＷＴＲＵのＱｏＳ（Ｑｕａｌｉｔｙ  ｏｆ  Ｓｅｒｖｉｃｅ：サービス品質）を維持するためにＲ６まで必要とされた高速閉ループＵＬ電力制御が、単一の、またはほんのいくつかのみのＷＴＲＵが所与の時間に送信するシナリオにおいては重要ではないことになり、そして不必要なオーバーヘッドを加えることになる。
【発明の概要】
【発明が解決しようとする課題】
【０００７】
従って、高度化ＨＳＰＡにおけるＵＬデータ速度の高速化を支援するためにより良い信号方式の方法が必要とされる。
【課題を解決するための手段】
【０００８】
リソースを割り付けるための開示された方法および装置は、送信の要求をしているＷＴＲＵ（Ｗｉｒｅｌｅｓｓ  Ｔｒａｎｓｍｉｔ  Ｒｅｃｅｉｖｅ  Ｕｎｉｔ：無線送受信ユニット）を非固定的スケジューリング（ｎｏｎ−ｐｅｒｓｉｓｔｅｎｔ  ｓｃｈｅｄｕｌｉｎｇ）を使用してスケジューリングするステップを具備する。
【図面の簡単な説明】
【０００９】
【図１】無線通信ネットワークを示す図である。
【図２】送受信機の機能的ブロック図である。
【図３】開示されたスケジューリング方法を実施するように構成された開示された処理装置の機能的ブロック図である。
【図４】開示されたスケジューリング方法のフロー図である。
【図５】チャンネル品質表示子信号方式を使用する開示されたスケジューリング方法のフロー図である。
【発明を実施するための形態】
【００１０】
これ以後参照されると、用語「ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）」は、限定的ではなく、ＵＥ（Ｕｓｅｒ  Ｅｑｕｉｐｍｅｎｔ：ユーザー設備）、移動端末、固定型または移動体の加入者ユニット、ページャー、携帯電話、ＰＤＡ（Ｐｅｒｓｏｎａｌ  Ｄｉｇｉｔａｌ  Ａｓｓｉｓｔａｎｔ：携帯情報端末）、コンピューター、または無線環境において動作する能力のある他の如何なる種別のユーザー・デバイスをも含む。これ以後参照されると、用語「基地局（ｂａｓｅ  ｓｔａｔｉｏｎ）」は、限定的ではなく、ノードＢ（Ｎｏｄｅ−Ｂ）、サイト制御装置、ＡＰ（Ａｃｃｅｓｓ  Ｐｏｉｎｔ：アクセス・ポイント）、または無線環境において動作する能力のある他の如何なる種別のインターフェイス・デバイスをも含む。
【００１１】
図１は、複数のノードＢ３０およびＷＴＲＵ２０（その１つのみが示される）を有する、無線通信ネットワーク（ＮＷ）１０の一例である。無線通信ネットワーク（ＮＷ）１０は、送受信機９および処理装置２２を含む少なくとも１つのＷＴＲＵ２０、１つまたは複数のノードＢ３０、ならびに１つまたは複数のセル４０を具備する。それぞれのノードＢ３０は、１つまたは複数のセル４０を制御する。それぞれのノードＢ３０は、送受信機１３および処理装置３３を含む。処理装置２２および３３は、これ以後開示される方法を実施するように構成される。
【００１２】
図２は、ノードＢ３０中に含まれる送受信機１２０の機能的ブロック図である。送受信機１２０は典型的な送受信機において含まれる構成要素に加えて、以下で開示される方法を実行するように構成される処理装置１２５、処理装置１２５と通信状態にある受信機１２６、処理装置１２５と通信状態にある送信機１２７、ならびに無線データの送信および受信を容易にするために受信機１２６および送信機１２７と通信状態にあるアンテナ１２８を含む。さらに受信機１２６、送信機１２７、およびアンテナ１２８は、単一の受信機、送信機、およびアンテナである場合があり、またはそれぞれ複数の個別の受信機、送信機、およびアンテナを含む場合がある。送受信機１２０は、ＷＴＲＵ２０、基地局３０、または両方に位置することができる。
【００１３】
図３は、処理装置１２５の一例のブロック図である。処理装置１２５は、Ｅ−ＤＣＨ（Ｅｎｈａｎｃｅｄ  Ｄｅｄｉｃａｔｅｄ  ＣＨａｎｎｅｌ：拡張個別チャンネル）上のＷＴＲＵからの送信を制御するための、望ましくはＭＡＣ−ｅの、スケジューリング処理装置１４２を具備する。スケジューリング処理装置１４２は、ＷＴＲＵの間のＥ−ＤＣＨセル・リソースを管理するためのスケジューラ１４４、スケジューリング要求を受信しそしてスケジューリング許可（ｓｃｈｅｄｕｌｉｎｇ  ｇｒａｎｔ）を送信するための制御装置１４５、および誤り制御プロトコル（すなわち、ＨＡＲＱプロトコル）のために必要とされるすべてのタスクを支援するための、ＨＡＲＱ（Ｈｙｂｒｉｄ  Ａｕｔｏｍａｔｉｃ  Ｒｅｐｅａｔ  Ｒｅｑｕｅｓｔ：ハイブリッド自動再送要求）エントリー１４６を具備し、以下に開示される。
【００１４】
上り回線における１６−ＱＡＭなどの、より高次の変調を収容するために、スケジューラ１４４は、非固定的スケジューリングを使用してＥ−ＤＣＨリソースのスケジューリングをする。そういうものとして、ノードＢ３０によって許可される送信機会（ｔｒａｎｓｍｉｓｓｉｏｎ  ｏｐｐｏｒｔｕｎｉｔｙ）は、限定された持続時間の間だけ、特定のＷＴＲＵに対して有効であるか、または限られた数のＭＡＣ−ｅ  ＰＤＵ（Ｐａｃｋｅｔ  Ｄａｔａ  Ｕｎｉｔ：パケット・データ・ユニット）の送信に限定される。
【００１５】
したがってスケジューラ１４４は、ＷＴＲＵ２０に対する最大許容電力比および割り付け許可の制限を表すために使用される許可制限を決定する。スケジューリング処理装置１４２により決定された非固定的ＳＧ（Ｓｃｈｅｄｕｌｉｎｇ  Ｇｒａｎｔ：スケジューリング許可）が、制御装置１４５に提供される。制御装置１４５は次に、要求ＷＴＲＵ２０にスケジューリングされた許可を送信する。
【００１６】
図４において、特定のＷＴＲＵ２０に対する送信割り付けを許可するために処理装置１２５が使用する方法４００のフロー図が例証される。ＳＩ（Ｓｃｈｅｄｕｌｉｎｇ  Ｉｎｆｏｒｍａｔｉｏｎ：スケジューリング情報）を具備する制御情報を、ノードＢ３０がＷＴＲＵ２０から受信する（ステップ４０２）。随意的にノードＢ３０はまた、他のＷＴＲＵによって発生した干渉および他のＷＴＲＵから送信された制御情報などの、他の情報を受信する。ＷＴＲＵ２０に対する許可制限および最大電力比を含む割り付け情報が決定される（ステップ４０４）。次に許可割り付け情報がＷＴＲＵ２０に送信される（ステップ４０６）。
【００１７】
単一のＷＴＲＵ２０のみが所与の時間に送信することを許容され、かつ多くのＷＴＲＵ２０が接続されている場合に、固定的割り付けを使用すると、ＷＴＲＵ２０の割り付けを外すためにスケジューリング・コマンドの数を倍にすることを必要とする場合がしばしばある。開示されるような非固定的スケジューリングは、他のＷＴＲＵ２０による送信のために十分な余地があるように、この増加するスケジューリング・オーバーヘッドの必要性を排除する。
【００１８】
代替の方法において、ＣＱＩ（Ｃｈａｎｎｅｌ  Ｑｕａｌｉｔｙ  Ｉｎｄｉｃａｔｏｒ：チャンネル品質表示子）情報がまた、望ましくはスケジューリング割り付けの時点にＷＴＲＵ２０に送信される。この代替手段によると、新しい物理チャンネルを定義することができるか、または既存チャンネルの情報ビットの新しい解釈を定義することができる。
【００１９】
既存チャンネルに対する新しい定義が使用されることが望まれる。例えばＥ−ＡＧＣＨ（Ｅｎｈａｎｃｅｄ  Ａｃｃｅｓｓ  Ｇｒａｎｔ  ＣＨａｎｎｅｌ：拡張アクセス許可チャンネル）は、６つの情報ビットを符号化し；５つはその許可値のためそして１つはその範囲のためである。ノードＢ３０は電力比を信号送出しないため、許可値は最早無意味である。したがってＥ−ＡＧＣＨの５ビットは、ＣＱＩ情報を（この場合３２値に）符号化するために置き換えることが可能である。Ｅ−ＡＧＣＨの残余のビットは、固定的割り付けまたは非固定的割り付けの何れが使用されるかを知らしめるために使用できるであろう。この代替手段によると、非固定的割り付けは、上で開示されたように、望ましくはＨＡＲＱエンティティ１４６によって行われた同一のＨＡＲＱ処理について、ＭＡＣ−ｅ  ＰＤＵの予め定義された数に対して有効であることができる。あるいは、非固定的割り付けを使用して、いくつのＭＡＣ−ｅ  ＰＤＵに対して割り付けが有効であるかを知らしめるために、修正されたＥ−ＡＧＣＨにおいてより多くのビットを予約できるであろう。さらに別の代替手段においては、上位層から信号送出することができる予め定められた持続時間の間、非固定的割り付けが有効であることができるであろう。
【００２０】
ノードＢ３０がいつＷＴＲＵ２０および適切なＣＱＩをスケジューリングするかを決定するために、スケジューリングのために使用される制御情報を送信する僅か前に、信号（望ましくはＣＱＩバースト）がＷＴＲＵ２０から送信される。一例の信号は、ＷＴＲＵ２０からの前のデータ送信であることができる。ＣＱＩ情報を含む、送信割り付けを許可するために処理装置１２５によって使用される方法５００のフロー図が、図５において例証される。ノードＢ３０がＷＴＲＵ２０から、ＣＱＩバースト（ステップ５０１）および制御情報（ステップ５０２）を受信する。許可制限を含む許可割り付け情報が、ＷＴＲＵ２０に対して決定される（ステップ５０３）。次にＣＱＩおよび許可割り付け情報が、ＷＴＲＵ２０に対して送信される（それぞれステップ５０４および５０５）。ＣＱＩおよび許可割り付けがノードＢ３０によって同時に送信されるとして開示されているが、許可割り付けの前または後にＣＱＩを送信することができることは当業者によって理解されるべきである。
【００２１】
あるいは、ＷＴＲＵ２０が長い期間に亘ってデータ（またはＣＱＩ報告）を送信しなかったなら、ＷＴＲＵ２０は特別な信号を送信することができる。この信号は、データを送るためにＷＴＲＵ２０によって使用される電力レベルから定義される電力オフセットにて送信されることが望ましい。この電力オフセットは、あらかじめ（例えば、ＲＲＣ（Ｒａｄｉｏ  Ｒｅｓｏｕｒｃｅ  Ｃｏｎｔｒｏｌ：無線リソース管理）信号方式を通して）ＷＴＲＵ２０に知らしめることができる。この信号は、物理またはＭＡＣ層にて符号化される、ＷＴＲＵ２０においてバッファーされたデータ量についての情報を含むことができる。この代替手段は、既存のスケジューリング情報と異なる新しい形式は必要とはしない。さらに、閉ループ方式が採用されるなら、以下に開示される如く、信号は低速電力制御を支援するために使用することができるであろう。
【００２２】
あるいはノードＢ３０は、以前に得られている評価によりＣＱＩをバイアスさせ、そのような送信なしでＷＴＲＵ２０のスケジューリングをすることができる。この代替手段によると、望ましくはそのようなＣＱＩはノードＢ３０において予め定義された規則に従ってバイアスされる。バイアスの種別は例えば、ノードＢ３０が達成しようとしている特定の目標に依存することができる。ノードＢ３０がＷＴＲＵ２０からの干渉を最小にしようとするなら、初期のＣＱＩは低くバイアスされることが望ましい。ノードＢ３０がＷＴＲＵ２０からのデータを最初の機会で検出する確率を最大にしようとするなら、ＣＱＩは高くバイアスされることが望ましい。
【００２３】
ＷＴＲＵ２０からの初期の送信がエラーをもたらしたなら、そのエラーのあった送信は、再送信に対するＣＱＩを評価するために使用される。この代替手段においては、ＣＱＩが次に、ＨＡＲＱエンティティ１４６を使用してＡＣＫ／ＮＡＣＫと共に転送されることが望ましい。当業者が認識するように、ＨＡＲＱエンティティ１４６は、単一のＭＡＣ−ｅ  ＰＤＵのＷＴＲＵ２０への配信状態を表す、ＡＣＫ（ＡＣＫｎｏｗｌｅｄｇｅｍｅｎｔ：肯定応答）またはＮＡＣＫ（Ｎｏｎ−ＡＣＫｎｏｗｌｅｄｇｅｍｅｎｔ：否定応答）の発生に関与する。これは、新しいＤＬ（ＤｏｗｎＬｉｎｋ：下り回線）信号方式を定義すること、またはＥ−ＲＧＣＨチャンネルの意味を再定義することの何れかによって、為すことが可能である。後者の場合においては、信号送出されるＣＱＩの変化は、次の送信に対してデルタ的に高く（ｄｅｌｔａ  ｕｐ）するか、またはデルタ的に低く（ｄｅｌｔａ  ｄｏｗｎ）することが望ましい。
【００２４】
この方法によると、ＣＱＩを決定する方法は以下の表１において説明される。
【００２５】
【表１】
0005439578.tif 000002
【００２６】
ＣＥＬＬ＿ＦＡＣＨモードにおいて、上に説明されたＣＱＩバーストは、速い割り付けによるＨＳＵＰＡ−型信号方式でのランダム・アクセス（Ｒａｎｄｏｍ  Ａｃｃｅｓｓ）の同様の動作を可能にするように修正される。例えば、現在使用されているＲＡＣＨ（Ｒａｎｄｏｍ  Ａｃｃｅｓｓ  ＣＨａｎｎｅｌ：ランダム・アクセス・チャンネル）方式と同様なランプ・アップ（ｒａｍｐ  ｕｐ）付きアクセス−プリアンブルを使用することができる。アクセス・コードおよびスロットは、現在の方式において為されているものと同様な方法にて定義され、そして選択された署名は、一時的な「ユーザーＩＤ」（ＰＨＹ（Ｐｈｙｓｉｃａｌ：物理層）およびＭＡＣ層のみに存在する）に対応する。そういうものとして、ノードＢ３０がＷＴＲＵ２０から特定のＲＡＣＨプリアンブルを獲得すると、ＨＡＲＱエンティティ１４６は、ＷＴＲＵ２０に送信しないように知らせることになるＮＡＣＫ応答か、またはＷＴＲＵ２０がメッセージ送信に対して適切なトランスポート形式を選択することを可能にすることになる特定のＣＱＩを伴うＡＣＫ応答、の何れがＷＴＲＵ２０に送信されるべきであるかを決定する。この方法によると、ＮＡＣＫをＣＱＩの特別な場合（すなわちＣＱＩそれ自体がゼロ）として見なすことが可能である。このＣＱＩ／ＡＣＫ／ＮＡＣＫは、検出された署名に基づき一時的なＩＤによりＷＴＲＵ２０に向けられ、その結果正しいＷＴＲＵ２０を特定する。このＩＤは、１つのＭＡＣトランスポート・ブロックの持続時間の間有効であり、したがって再送信のためにそのＷＴＲＵ２０にＣＱＩ／ＡＣＫ／ＮＡＣＫを送出するために使用可能である。
【００２７】
ＣＱＩ信号方式を使用する開示された方法によると、適応型変調および上り回線上の符号化がノードＢからイネーブル（ｅｎａｂｌｅ）される。ノードＢ３０における受信電力を均一に調整するために、送信電力によりチャンネルの変動を補償する代わりに、受信電力が変動することを許容されることが望ましく、一方でその時点のチャンネル条件に合致する変調および符号化方式が利用される。
【００２８】
上で開示された何れの方法によってもＣＱＩ信号方式による低速電力制御を実現することが可能である。これらの方法は、干渉評価報告、例えばＣＱＩ報告に基づき、ノードＢからデータを送信する場合に、その送信電力を制御するために、ＷＴＲＵ  ＲＮＣ（Ｒａｄｉｏ  Ｎｅｔｗｏｒｋ  Ｃｏｎｔｒｏｌｌｅｒ：無線制御装置）にＲＲＣメッセージを送出し；Ｅ−ＲＧＣＨ（Ｅ−ＤＣＨ  Ｒｅｌａｔｉｖｅ  Ｇｒａｎｔ  ＣＨａｎｎｅｌ：Ｅ−ＤＣＨの相対的許可チャンネル）をセル間干渉に役立つ「電力の上げ／下げ」コマンド（電力比の上げ／下げの代わりに）として再解釈し；かつ上位層の信号方式によって予め定められた、現時点の方法より低い頻度にて、Ｆ−ＤＰＣＨ（Ｆｒａｃｔｉｏｎａｌ  Ｄｅｄｉｃａｔｅｄ  ＣＨａｎｎｅｌ）を使用し続ける、ノードＢ  ＲＮＣを含む、閉ループＲＲＣ信号方式を含む。
【００２９】
低速電力制御（高速電力制御の代わりに）を利用することの論理的根拠は、ノードＢ３０のスケジューラ１４４には一時に１つのＷＴＲＵ２０をスケジューリングする可能性があるため、対応するノードＢ３０にて干渉を緊密に制御するにおいて得るものがほとんどないということである。その上他のノードＢへの干渉は、高速電力制御コマンドが、殆どの場合に対応ノードＢ３０である、最も近いノードＢのチャンネルと相関があるため、高速電力制御によっては通常改善されない。
【００３０】
低速電力制御の別の利点は、ノードＢ３０には、短期的チャンネル条件に依存して（チャンネル−依存性スケジューリングにて）、所与の時点にて何れのＷＴＲＵ２０が送信するべきであるかの選択を最適化できる可能性があるということがある。その上Ｅ−ＴＦＣ（Ｅｎｈａｎｃｅｄ  Ｔｒａｎｓｍｉｓｓｉｏｎ  Ｆｏｒｍａｔ  Ｃｏｄｅ：拡張送信形式符号）選択手順は、ＷＴＲＵ２０が、自身がどのＥ−ＴＦＣを使用することが可能であるかをノードＢ３０から直接分るため、かなり簡略化される。したがって、送信電力をあらゆる送信の都度再計算する必要はない。
【００３１】
ＨＳＰＡ（Ｈｉｇｈ  Ｓｐｅｅｄ  Ｐａｃｋｅｔ  Ａｃｃｅｓｓ：高速パケット・アクセス）システムにおける下位互換的実施方法は、既存制御構造に対する変更を最小にする。開示された方法を実施しないレガシーのＷＴＲＵは、依然として既存の手順に従って動作し、そして現在のシステム（すなわちレリース６システム）において定義されている同一の物理チャンネルの言うことを聞くことができる。開示された方法を利用するＷＴＲＵを支援するために使用される修正されたＥ−ＡＧＣＨは、Ｅ−ＲＮＴＩ（Ｅ−ＤＣＨ  Ｒａｄｉｏ  Ｎｅｔｗｏｒｋ  Ｔｅｍｐｏｒａｒｙ  Ｉｄｅｎｔｉｔｙ）により識別され、したがって過去のシステムに対する変更はレガシーのＷＴＲＵにとっては透過的（ｔｒａｎｓｐａｒｅｎｔ）である。修正Ｅ−ＲＧＣＨもまた使用されても、異なったＷＴＲＵに対しては異なった署名系列を使用するため、レガシーのＷＴＲＵにとっては透過的である。
【００３２】
開示された方法の全面的性能利益は、その搬送波上のすべてのＷＴＲＵが本発明を実施するシナリオにおいて実現可能であるが、ＷＴＲＵの一部分がレガシーのＷＴＲＵであるか、またはより低いビット速度にてより連続的に送信しているＷＴＲＵであっても利益を得ることは依然として可能である。この場合、これらの２つの種別のＷＴＲＵの共存に対して、異なった無線リソース管理方法が可能である。開示された方法が、時の経過により高ビット速度のＷＴＲＵおよび低ビット速度の（そしてレガシーの）ＷＴＲＵを峻別すると、その結果、ＷＴＲＵの許容ＨＡＲＱ処理を限定することになる。別の開示された方法は、低ビット速度かつレガシーＷＴＲＵのために全体のＵＬ負荷の一部分を予約し、低速電力制御機構を使用する高ビット速度ＷＴＲＵによってＵＬ負荷が使い果たされることを制限する。
【００３３】
上に開示された方法は、Ｃｅｌｌ＿ＤｃｈおよびＣｅｌｌ＿ＦＡＣＨ状態におけるＷＴＲＵに適用可能である。これらの方法には、オーバーヘッド削減および場合によっては、チャンネル−依存性スケジューリング；Ｅ−ＴＦＣ選択手順の簡略化（ノードＢにより送信されたＣＱＩからどのＥ−ＴＦＣが達成可能であるかをＷＴＲＵが直接分るので）；およびＥ−ＤＣＨ下り回線制御チャンネル（例えばＥ−ＡＧＣＨ、Ｅ−ＲＧＣＨ）に起因するオーバーヘッド削減を、対応ノードＢが実行することを可能とする利点がある。
【００３４】
実施形態
１．送信割り付けのスケジューリングのための方法であって、
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）から制御情報を受信するステップと、
少なくとも前記制御情報に基づき、前記ＷＴＲＵに対して非固定的許可割り付けを決定するステップであって、前記非固定的許可割り付けが決定されている許可限界に限定されることと
を具備することを特徴とする方法。
【００３５】
２．前記許可限界が、ある時間的持続時間であることを特徴とする実施形態１に記載の方法。
【００３６】
３．前記許可限界が、限定された数のパケット・データ・ユニットの送信であることを特徴とする前の実施形態の何れかに記載の方法。
【００３７】
４．前記制御情報がスケジューリング情報を具備することを特徴とする前の実施形態の何れかに記載の方法。
【００３８】
５．スケジューリングの時点にてＣＱＩ（Ｃｈａｎｎｅｌ  Ｑｕａｌｉｔｙ  Ｉｎｄｉｃａｔｏｒ：チャンネル品質表示子）情報を前記ＷＴＲＵに送信するステップをさらに具備することを特徴とする前の実施形態の何れかに記載の方法。
【００３９】
６．前記ＣＱＩを送信するための物理チャンネルを定義するステップをさらに具備することを特徴とする実施形態５記載の方法。
【００４０】
７．前記物理チャンネルが、Ｅ−ＡＧＣＨ（Ｅｎｈａｎｃｅｄ  Ａｃｃｅｓｓ  Ｇｒａｎｔ  Ｃｈａｎｎｅｌ：拡張アクセス許可チャンネル）であることを特徴とする実施形態６記載の方法。
【００４１】
８．前記定義するステップが、前記Ｅ−ＡＧＣＨのビットを前記ＣＱＩ情報と置き換えるステップを具備することを特徴とする実施形態７記載の方法。
【００４２】
９．前記５ビットが置き換えられることを特徴とする実施形態８記載の方法。
【００４３】
１０．前記Ｅ−ＡＧＣＨの残余のビットが、前記許可割り付けが非固定的か否かを知らしめるために使用されることを特徴とする実施形態９記載の方法。
【００４４】
１１．前記制御情報を受信するステップの前に前記ＷＴＲＵから信号を受信するステップをさらに具備することを特徴とする実施形態１〜５の何れかに記載の方法。
【００４５】
１２．前記信号が、前のデータ送信であることを特徴とする実施形態１１記載の方法。
【００４６】
１３．前記信号が、定義された電力オフセットにて受信された特別な信号であることを特徴とする実施形態１１記載の方法。
【００４７】
１４．前記信号が、前記ＷＴＲＵにおいてバッファーされたデータ量に関する情報を含むことを特徴とする実施形態１３記載の方法。
【００４８】
１５．送信割り付けのスケジューリングのためのノードＢであって、
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）から制御情報を受信するための受信機と、
少なくとも前記制御情報に基づき、前記ＷＴＲＵに対して非固定的許可割り付けを決定するための処理装置であって、前記非固定的許可割り付けが決定されている割り付け期間に限定されることと
を具備することを特徴とするノードＢ。
【００４９】
１６．前記許可限界が、ある時間的持続時間であることを特徴とする実施形態１５記載のノードＢ。
【００５０】
１７．前記許可限界が、限定された数のパケット・データ・ユニットの送信であることを特徴とする前の実施形態の何れかに記載のノードＢ。
【００５１】
１８．前記制御情報がスケジューリング情報を具備することを特徴とする前の実施形態の何れかに記載のノードＢ。
【００５２】
１９．スケジューリングの時点にてＣＱＩ（Ｃｈａｎｎｅｌ  Ｑｕａｌｉｔｙ  Ｉｎｄｉｃａｔｏｒ：チャンネル品質表示子）情報を前記ＷＴＲＵに送信することをさらに具備することを特徴とする前の実施形態の何れかに記載のノードＢ。
【００５３】
２０．前記ＣＱＩを送信するための物理チャンネルを定義することをさらに具備することを特徴とする実施形態１９に記載のノードＢ。
【００５４】
２１．前記物理チャンネルが、Ｅ−ＡＧＣＨ（Ｅｎｈａｎｃｅｄ  Ａｃｃｅｓｓ  Ｇｒａｎｔ  Ｃｈａｎｎｅｌ：拡張アクセス許可チャンネル）であることを特徴とする実施形態２０に記載のノードＢ。
【００５５】
２２．前記定義することが、前記Ｅ−ＡＧＣＨのビットを前記ＣＱＩ情報と置き換えることを具備することを特徴とする実施形態２１記載のノードＢ。
【００５６】
２３．前記５ビットが置き換えられることを特徴とする実施形態２１に記載のノードＢ。
【００５７】
２４．前記Ｅ−ＡＧＣＨの残余のビットが、前記許可割り付けが非固定的か否かを知らしめるために使用されることを特徴とする実施形態２３記載のノードＢ。
【００５８】
２５．前記制御情報を受信する前に前記ＷＴＲＵから信号を受信することをさらに具備することを特徴とする実施形態１９記載のノードＢ。
【００５９】
２６．前記信号が、前のデータ伝送であることを特徴とする実施形態２５に記載のノードＢ。
【００６０】
２７．前記信号が、定義された電力オフセットにて受信された特別な信号であることを特徴とする実施形態２５記載のノードＢ。
【００６１】
２８．前記信号が、前記ＷＴＲＵにおいてバッファーされたデータ量に関する情報を含むことを特徴とする実施形態２７に記載のノードＢ。
【００６２】
特徴および要素が特定の組み合わせにて記述されているが、それぞれの特徴または要素は、他の特徴および要素なしで単独にて、または他の特徴および要素のあるなしにかかわらず様々な組み合わせにて使用可能である。提供される方法またはフローは、汎用目的のコンピューターまたは処理装置による実行のための、コンピューターにて読み取り可能な記憶装置媒体にて実体的に具現化されるコンピューター・プログラム、ソフトウェア、またはファームウェアにて実施することができる。コンピューターにて読み取り可能な記憶装置媒体の例としては、ＲＯＭ（Ｒｅａｄ  Ｏｎｌｙ  Ｍｅｍｏｒｙ：リード・オンリー・メモリ）、ＲＡＭ（Ｒａｎｄｏｍ  Ａｃｃｅｓｓ  Ｍｅｍｏｒｙ：ランダム・アクセス・メモリ）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【００６３】
適切な処理装置の例としては、汎用目的処理装置、専用目的処理装置、従来の処理装置、ＤＳＰ（Ｄｉｇｉｔａｌ  Ｓｉｇｎａｌ  Ｐｒｏｃｅｓｓｏｒ：デジタル信号処理装置）、複数のマイクロ処理装置、ＤＳＰコアに関連付けられた１つまたは複数のマイクロ処理装置、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ＦＰＧＡ（Ｆｉｅｌｄ  Ｐｒｏｇｒａｍｍａｂｌｅ  Ｇａｔｅ  Ａｒｒａｙ）回路、他の何れかの種別のＩＣ（Ｉｎｔｅｇｒａｔｅｄ  Ｃｉｒｃｕｉｔ：集積回路）、および／または状態マシンが含まれる。
【００６４】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザー設備）、端末、基地局（ｂａｓｅ  ｓｔａｔｉｏｎ）、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調された）無線ユニット、ＬＣＤ（Ｌｉｑｕｉｄ  Ｃｒｙｓｔａｌ  Ｄｉｓｐｌａｙ：液晶表示）ユニット、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤー、メディア・プレーヤー、テレビゲーム・プレーヤー・モジュール、インターネット・ブラウザー、および／または任意のＷＬＡＮ（Ｗｉｒｅｌｅｓｓ  Ｌｏｃａｌ  Ａｃｃｅｓｓ  Ｎｅｔｗｏｒｋ：無線ＬＡＮ）モジュールなどのモジュールと連動して使用することができる。
【図１】
0005439578.tif 000003
【図２】
0005439578.tif 000004
【図３】
0005439578.tif 000005
【図４】
0005439578.tif 000006
【図５】
0005439578.tif 000007